(57)【要約】【課題】遊技店の利益を損なうことなく、０円レート等特殊レートの遊技を適切に制限すること。【解決手段】台間カード処理機１０にて、０円以外のレートの場合とは異なる０円レートの遊技開始を許可する複数の条件を保有し、その条件が成立した場合のみ０円レートの遊技を開始させることとする。また０円レートの遊技の開始以降は０円レートの遊技利用時間や利用玉数が所定量を超えたら遊技終了とする。また携帯タッチや会員カードの活用により同一人物の同一日の利用制限や、入金の有無を開始条件にすることにより、０円レートの遊技を適切に制限する。【選択図】図１
2014000277.tif 000002
【特許請求の範囲】
【請求項１】
遊技店に配設された遊技機に対応付けて配設される台間装置であって、
特定の遊技種による遊技について遊技条件を設定する設定手段と、
前記遊技条件を満たした場合に、前記特定の遊技種による遊技の開始制御及び／又は終了制御を行なう遊技制御手段と
を備えたことを特徴とする台間装置。
【請求項２】
前記遊技制御手段は、前記遊技条件を満たした場合に、遊技媒体の供給を禁止することで遊技終了制御を行なうことを特徴とする請求項１に記載の台間装置。
【請求項３】
前記遊技制御手段は、前記遊技条件を満たした場合に、遊技媒体の供給を許可することで遊技開始制御を行なうことを特徴とする請求項１又は２に記載の台間装置。
【請求項４】
前記設定手段は、遊技媒体の貸出に有価価値の減算を伴わない遊技種による遊技について前記遊技条件を設定することを特徴とする請求項１、２又は３に記載の台間装置。
【請求項５】
前記設定手段は、前記遊技店の従業員による操作の受付、管理装置からの指示受信、会員用記憶媒体の読取並びに遊技客からの入金、前記特定の遊技種専用の記憶媒体の読取りのうち、少なくともいずれかを前記特定の遊技種による遊技の開始制御を行なう遊技条件として設定することを特徴とする請求項１〜４のいずれか一つに記載の台間装置。
【請求項６】
前記遊技制御手段により前記遊技媒体の供給を禁止した後、前記遊技客により入金された入金額に対応する有価価値を所定の記憶媒体に関連付けて返却する返却手段をさらに備えたことを特徴とする請求項５に記載の台間装置。
【請求項７】
前記設定手段は、前記特定の遊技種による遊技の開始から所定時間が経過すること若しくは前記遊技媒体の貸出数の合計が所定値に達することを前記特定の遊技種による遊技の終了制御を行なう遊技条件として設定することを特徴とする請求項１〜６のいずれか一つに記載の台間装置。
【請求項８】
遊技店に配設された遊技機と、前記遊技機に対応付けて配設される台間装置とを有する遊技システムであって、
特定の遊技種による遊技について遊技条件を設定する設定手段と、
前記遊技条件を満たした場合に、前記特定の遊技種による遊技の開始制御及び／又は終了制御を行なう遊技制御手段と
を備えたことを特徴とする遊技システム。
【請求項９】
遊技店に配設された遊技機による遊技を管理する遊技管理方法であって、
特定の遊技種による遊技について遊技条件を設定する設定工程と、
前記遊技条件を満たした場合に、前記特定の遊技種による遊技の開始制御及び／又は終了制御を行なう遊技制御工程と
を含んだことを特徴とする遊技管理方法。
【発明の詳細な説明】
【技術分野】
【０００１】
この発明は、遊技店に配設された遊技機に対応付けて配設される台間装置、遊技機と台間装置とを有する遊技システム並びに遊技機による遊技を管理する遊技管理方法に関する。
【背景技術】
【０００２】
従来、パチンコ店等の遊技店では、一律の貸出レート（例えば１玉４円）で遊技客にパチンコ玉を貸し出すのが一般的であったが、最近になって、複数レートの貸出レートを採用する遊技店が増加している。
【０００３】
例えば、特許文献１は、遊技店内を４円コーナーの区画と１円コーナーの区画に区分し、４円コーナーでは１玉４円でパチンコ玉を貸し出し、１円コーナーでは１玉１円でパチンコ玉を貸し出す構成を開示している。
【０００４】
パチンコ玉の貸し出しには、遊技機に対応して設置された台間装置を用いることが一般的である。台間装置は、貨幣の投入を受け付けると、投入された貨幣の額面に対応する有価価値を記憶し、遊技客によるパチンコ玉の貸出操作を受け付けると、有価価値を減算して対応する数のパチンコ玉を貸し出す。例えば、４円コーナーに設置された台間装置は、１０００円分に相当する有価価値を減算して、２５０玉のパチンコ玉を貸し出し、１円コーナーに設置された台間装置は、１０００円分に相当する有価価値を減算して、１０００玉のパチンコ玉を貸し出すこととなる。
【０００５】
複数の貸出レートを採用する場合には、その一つとして「０円」のレートを設けることが考えられる。この「０円」のレートはパチンコ玉の貸し出しに際して有価価値の減算が不要な特殊レートであり、遊技機のデモンストレーション等に用いることができる。また、遊技店に他のレートのコーナーに加えて０円コーナーを設けることで、遊技客に試し打ちサービスを提供することもできる。
【先行技術文献】
【特許文献】
【０００６】
【特許文献１】特許第４５３１０８２号
【発明の概要】
【発明が解決しようとする課題】
【０００７】
しかしながら、０円レートを他のレートと同様に運用することとすると、遊技店にとって不利益が生じるという問題点がある。この点を具体的に説明すると、０円レートは、有価価値が消費されず、無制限に貸出可能であるため、０円レートで一日中居座る遊技客が発生する可能性がある。また、０円での遊技のみを目的に来店する遊技客が発生する可能性もある。遊技店としては、０円以外の他のレートで遊技する遊技客のためのサービスや、０円レート以外の他のレートでの遊技への切掛けを作ることを目的に、０円レートでの運用を提供するのであり、同一客が０円レートで長時間遊技することや、現金を持たず０円レートでの遊技のみを目的とした来店は、遊技店の利益を損なうこととなるのである。
【０００８】
これらのことから、０円レートのような特殊レートを遊技店にて運用する場合には、遊技店の利益を損なうことなく特殊レートでのサービスを提供するために、特殊レートでの遊技をいかにして制限するかが重要な課題となっている。
【０００９】
本発明は、上述した従来技術の課題を解消するためになされたものであって、パチンコ店等の遊技店において、特殊レートによる遊技客へのサービスを導入する場合に、遊技店の利益を損なうことなく、特殊レートの遊技を適切に制限することができる台間装置、遊技システム及び遊技管理方法を提供することを目的とする。
【課題を解決するための手段】
【００１０】
上記した課題を解決し、目的を達成するため、本発明は、遊技店に配設された遊技機に対応付けて配設される台間装置であって、特定の遊技種による遊技について遊技条件を設定する設定手段と、前記遊技条件を満たした場合に、前記特定の遊技種による遊技の開始制御及び／又は終了制御を行なう遊技制御手段とを備えたことを特徴とする。
【００１１】
また、本発明は、上記発明において、前記遊技制御手段は、前記遊技条件を満たした場合に、遊技媒体の供給を禁止することで遊技終了制御を行なうことを特徴とする。
【００１２】
また、本発明は、上記発明において、前記遊技制御手段は、前記遊技条件を満たした場合に、遊技媒体の供給を許可することで遊技開始制御を行なうことを特徴とする。
【００１３】
また、本発明は、上記発明において、前記設定手段は、遊技媒体の貸出に有価価値の減算を伴わない遊技種による遊技について前記遊技条件を設定することを特徴とする。
【００１４】
また、本発明は、上記発明において、前記設定手段は、前記遊技店の従業員による操作の受付、管理装置からの指示受信、会員用記憶媒体の読取並びに遊技客からの入金、前記特定の遊技種専用の記憶媒体の読取りのうち、少なくともいずれかを前記特定の遊技種による遊技の開始制御を行なう遊技条件として設定することを特徴とする。
【００１５】
また、本発明は、上記発明において、前記遊技制御手段により前記遊技媒体の供給を禁止した後、前記遊技客により入金された入金額に対応する有価価値を所定の記憶媒体に関連付けて返却する返却手段をさらに備えたことを特徴とする。
【００１６】
また、本発明は、上記発明において、前記設定手段は、前記特定の遊技種による遊技の開始から所定時間が経過すること若しくは前記遊技媒体の貸出数の合計が所定値に達することを前記特定の遊技種による遊技の終了制御を行なう遊技条件として設定することを特徴とする。
【００１７】
また、本発明は、遊技店に配設された遊技機と、前記遊技機に対応付けて配設される台間装置とを有する遊技システムであって、特定の遊技種による遊技について遊技条件を設定する設定手段と、前記遊技条件を満たした場合に、前記特定の遊技種による遊技の開始制御及び／又は終了制御を行なう遊技制御手段とを備えたことを特徴とする。
【００１８】
また、本発明は、遊技店に配設された遊技機による遊技を管理する遊技管理方法であって、特定の遊技種による遊技について遊技条件を設定する設定工程と、前記遊技条件を満たした場合に、前記特定の遊技種による遊技の開始制御及び／又は終了制御を行なう遊技制御工程とを含んだことを特徴とする。
【発明の効果】
【００１９】
本発明によれば、特定の遊技種による遊技について遊技条件を設定し、遊技条件を満たした場合に、特定の遊技種による遊技の開始制御及び／又は終了制御を行なうよう構成したので、遊技店の利益を損なうことなく、特殊レートの遊技を適切に制限することができる。
【図面の簡単な説明】
【００２０】
【図１】図１は、本実施例に係る０円レートの遊技システムの概念を説明するための説明図である。
【図２】図２は、図１に示した遊技システムのシステム構成を説明する為の説明図である。
【図３】図３は、図２に示した台間カード処理機の外観構成を示す図である。
【図４】図４は、図２に示した台間カード処理機の内部構成を示すブロック図である。
【図５】図５は、０円のレートの遊技開始条件及び終了条件を説明する説明図である。
【図６】図６は、図２に示したカード管理装置の内部構成を示すブロック図である。
【図７】図７は、図６に示したカードデータについて説明するための説明図である。
【図８】図８は、０円レートの遊技システムの開始及び終了の処理手順を示すフローチャートである。（その１）
【図９】図９は、０円レートの遊技システムの開始及び終了の処理手順を示すフローチャートである。（その２）
【発明を実施するための形態】
【００２１】
以下に、添付図面を参照して、本発明に係る台間装置、遊技システム及び遊技管理方法の好適な実施例を詳細に説明する。
【００２２】
本明細書中にあって持玉とは、遊技客が遊技において獲得した遊技媒体または当該遊技媒体数を示すデータであって、その当日中（閉店より前の時間）のみ遊技に再度供することができるものを言う。貯玉とは、遊技客が遊技において獲得した遊技媒体また当該遊技媒体数を示すデータであって、翌日以降（閉店より後の時間）も遊技に再度供することができるものを言う。持玉は、一般遊技客および会員遊技客の双方が使用可能であり、遊技機を移動した場合などに使用する。貯玉は通常、会員遊技客のみが使用可能であり、獲得した遊技媒体を翌日以降の遊技に用いる場合に使用する。貯玉の使用には所定の手数料が課される（手数料は遊技媒体数を減算することで徴収される）ことが通常であるが、時間帯や会員種別によって徴収しないこととしても良い。
【実施例】
【００２３】
まず、本実施例に係る遊技システムの概念について説明する。図１は、本実施例に係る０円レートの遊技システムの概念を説明するための説明図である。図１に示す遊技システムは台間カード処理機１０及び遊技機２０を含んだ構成を有する。
【００２４】
同図に示す台間カード処理機１０は、遊技機２０の０円レートでの遊技の開始条件の成立を監視し、所定の条件が成立した場合には遊技機２０の０円レートによる遊技の開始処理を行い、０円レートによる遊技の開始後は予定時間の経過を監視し、所定の時間が経過したならば遊技機２０の０円レートの遊技を終了処理する。
【００２５】
次に、本実施例に係る遊技システムのシステム構成について説明する。図２は、本実施例に係る遊技システムのシステム構成を示す図である。同図に示すように、この遊技システムは、１玉４円で貸し出されたパチンコ玉を使用するパチンコ遊技機２０ａを複数配置した４円パチンコ区画と、１玉１円で貸し出されたパチンコ玉を使用するパチンコ遊技機２０ｂを複数配置した１円パチンコ区画と、１玉０円で貸し出されたパチンコ玉を使用するパチンコ遊技機２０ｃを複数配置した０円パチンコ区画とを有する。
【００２６】
複数のパチンコ遊技機２０ａには、それぞれ台間カード処理機１０ａが対応して設けられている。台間カード処理機１０ａは、遊技種別がパチンコ玉（４円）に関連付けられており、パチンコ遊技機２０ａに対して１玉４円のレートでパチンコ玉を貸し出す処理を行う。また、台間カード処理機１０ａは、会員管理装置５０が管理する４円パチンコの貯玉口座の残高を減算し、減算した値に対応する数のパチンコ玉をパチンコ遊技機２０ａに払い出す。また、台間カード処理機１０ａは、後述するカード管理装置４０が管理する４円パチンコの持玉口座の残高を取得し、該残高を減算して減算した値に対応する数のパチンコ玉をパチンコ遊技機２０ａに払い出す。また、台間カード処理機１０ａは、パチンコ遊技機２０ａから獲得されたパチンコ玉を計数する各台計数機能を有する。計数されたパチンコ玉は、４円パチンコの持玉としてカードに対応付けられる。
【００２７】
複数のパチンコ遊技機２０ｂには、それぞれ台間カード処理機１０ｂが対応して設けられている。台間カード処理機１０ｂは、遊技種別がパチンコ玉（１円）に関連付けられており、パチンコ遊技機２０ｂに対して１玉１円のレートでパチンコ玉を貸し出す処理を行う。また、台間カード処理機１０ｂは、会員管理装置５０が管理する１円パチンコの貯玉口座の残高を減算し、減算した値に対応する数のパチンコ玉をパチンコ遊技機２０ｂに払い出す。また、台間カード処理機１０ｂは、後述するカード管理装置４０が管理する１円パチンコの持玉口座の残高を取得し、該残高を減算して減算した値に対応する数のパチンコ玉をパチンコ遊技機２０ｂに払い出す。また、台間カード処理機１０ｂは、パチンコ遊技機２０ｂから獲得されたパチンコ玉を計数する各台計数機能を有する。計数されたパチンコ玉は、１円パチンコの持玉としてカードに対応付けられる。
【００２８】
複数のパチンコ遊技機２０ｃには、それぞれ台間カード処理機１０ｃが対応して設けられている。台間カード処理機１０ｃは、遊技種別がパチンコ玉（０円）に関連付けられており、パチンコ遊技機２０ｃに対して１玉０円のレートでパチンコ玉を貸し出す処理を行う。また、台間カード処理機１０ｃは、後述するカード管理装置４０が管理する０円パチンコの持玉口座の残高を取得し、該残高を減算して減算した値に対応する数のパチンコ玉をパチンコ遊技機２０ｃに払い出す。また、台間カード処理機１０ｃは、パチンコ遊技機２０ｃから獲得されたパチンコ玉を計数する各台計数機能を有する。計数されたパチンコ玉は、０円パチンコの持玉としてカードに対応付けられる。
【００２９】
台間カード処理機１０ａ、１０ｂ及び１０ｃは、通信回線９０を介してカード管理装置４０、会員管理装置５０と接続されている。
【００３０】
カード管理装置４０は、カードＩＤにプリペイド価値及び持玉数を対応づけたカードデータを管理する装置である。カード管理装置４０は、台間カード処理機１０ａ、１０ｂ又は１０ｃからカードＩＤ及び持玉数を受信したならばカードデータを更新する。また、カード管理装置４０は、台間カード処理機１０ａ、１０ｂ又は１０ｃからカードＩＤを受信したならば、該カードＩＤに対応付けられたプリペイド価値及び持玉数を台間カード処理機１０に通知する。
【００３１】
会員管理装置５０は、遊技店に会員登録された会員の会員データを管理する装置である。具体的には、会員に対して発行した会員カードのカードＩＤに関連づけて、貯玉、ポイント、来店回数、遊技履歴、暗証番号及び氏名等を管理する。
【００３２】
次に、図２に示した台間カード処理機１０の外観構成について説明する。図３は、図２に示した台間カード処理機１０の外観構成を示す図である。なお、図３には、台間カード処理機１０ａ、１０ｂ及び１０ｃの外観構成を台間カード処理機１０として示している。また、併設される遊技機は、破線で図示している。また、図３では、紙幣のみを受け付ける台間カード処理機１０を図示したが、硬貨受け付け用のユニットを設けることもできる。
【００３３】
図３に示すように、台間カード処理機１０は、台間カード処理機１０の装置の状態を所定色のランプの点灯あるいは点滅で表示する状態表示部１９と、パチンコ玉を貸し出す際の各種紙幣を受け付ける紙幣挿入口１２ａとを有する。また、台間カード処理機１０は、タッチパネルディスプレイ等の表示操作部１３と、カードを受け付けるカード挿入口１１ａと、かざし部１５と、パチンコ玉を遊技機に投出するノズルユニット１６と、遊技機の下皿から落下させたパチンコ玉を計数する計数ユニット１７とを有する。
【００３４】
次に、図２に示した台間カード処理機１０の内部構成について説明する。図４は、図２に示した台間カード処理機１０の内部構成を示すブロック図である。図４に示すように、台間カード処理機１０は、カードリーダライタ１１と、紙幣搬送部１２と、表示操作部１３と、リモコン操作受信部１４と、かざし部１５と、通信部１８と、記憶部１０ｅと、制御部１０ｆとを有する。また、台間カード処理機１０は、ノズルユニット１６及び計数ユニット１７と接続している。
【００３５】
カードリーダライタ１１は、カード挿入口１１ａに挿入されたカードからカードＩＤを読み取る読取部である。なお、カード挿入口１１ａに挿入されたカードは、このカードリーダライタ１１を経て図示しないカード収納部に収納される。遊技終了時には、図示しないカード収納部からカードリーダライタ１１に搬送され、最新の情報をカードに書き込んで、カード挿入口１１ａに搬出する。
【００３６】
紙幣搬送部１２は、紙幣挿入口１２ａから挿入された紙幣の金種及び真偽を判別しつつ図示しない紙幣収納部に搬送する搬送部である。表示操作部１３は、台間カード処理機１０が保有する、会員情報やカード情報等の照会操作や玉貸し操作を行うためのタッチパネル式の入出力装置であり、本発明では０円レートによる遊技開始条件の一つである「ＬＣＤタッチによる開始操作」を実現する。
【００３７】
リモコン操作受信部１４は、台間カード処理機１０が保有する従業員操作端末３０の操作による０円レート遊技の開始指示情報を受信する為のインタフェース部である。かざし部１５は、非接触式のＩＣカードや、非接触式ＩＣを埋め込んだ携帯の情報を読み取り為の装置である。通信部１８は、遊技機、会員管理装置５０及びカード管理装置４０との間のデータ通信を行うためのインタフェース部である。
【００３８】
記憶部１０ｅは、ハードディスク装置や不揮発性メモリ等からなる記憶デバイスである。記憶部１０ｅは、カードＩＤ１０ｅ１、プリペイド価値データ１０ｅ２、持玉数データ１０ｅ３、レート情報１０ｅ４、貸出可否情報１０ｅ５及び開始・終了条件情報１０ｅ６を記憶する。
【００３９】
カードＩＤ１０ｅ１は、カードリーダライタ１１により読み取られたカードＩＤである。図示しないカード収納部からカード挿入口１１ａにカードが搬送され、該カードが排出される場合には、この搬送途中でカードリーダライタ１１により読み取られたカードＩＤによってカードＩＤ１０ｅ１が更新される。また、カード挿入口１１ａから図示しないカード収納部にカードが搬送される場合にも、この搬送途中でカードリーダライタ１１により読み取られたカードＩＤによってカードＩＤ１０ｅ１が更新される。
【００４０】
プリペイド価値データ１０ｅ２は、遊技客の現時点のプリペイド価値の残高を示す。プリペイド価値は、入金若しくはプリペイド価値が関連付けられたカードの挿入により加算され、パチンコ玉の貸出処理により減算される。
【００４１】
持玉数データ１０ｅ３は、遊技客の現時点の持玉数を示す。持玉数は、カード管理装置４０の持玉口座から取得するか、若しくは計数ユニット１７による計数により加算され、持玉再プレイ処理により減算される。
【００４２】
レート情報１０ｅ４は、図２で示す区画を示す、「４円レート」、「１円レート」、「０円レート」のいずれかを示す情報が設定されており、台間カード処理機１０と接続している遊技機２０が、「４円パチンコ区画」、「１円パチンコ区画」、「０円パチンコ区画」のいずれに属しているのかを示す。
【００４３】
貸出可否情報１０ｅ５は、０円レートでの遊技を制限させるために設けた情報であり、０円レートの遊技開始条件成立時に「遊技媒体の供給を許可するモード」を示す値を設定し、０円レートの遊技終了条件成立時に「遊技媒体の供給を許可しないモード」を示す値を設定する。ここで、遊技媒体の供給とは、貸出、持玉払い出しのいずれも含む。以降、説明を簡明にするため、供給のうち貸出を制御する場合を例に説明を行なうが、持玉払い出しの制御を行なう場合にも同様に適用可能である。０円レートでのパチンコ玉の貸し出しは有価価値を消費しないことから、本貸出可否情報１０ｅ５を使用することにより、遊技客によるパチンコ玉の貸出操作を制限することを可能とする。
【００４４】
開始・終了条件情報１０ｅ６は、０円レートでの遊技の開始と終了に係る状態を示す情報である。具体的には、０円レートでの遊技開始前には０円レートの遊技開始を判断する為の複数の条件の状態を示し、０円レートでの遊技開示後には０円レートの遊技終了を判断する為の条件の状態を示す。
【００４５】
制御部１０ｆは、台間カード処理機１０を全体制御する制御部であり、データ管理部１０ｆ１、紙幣処理部１０ｆ２、カード処理部１０ｆ３、開始条件判定部１０ｆ４、開始時処理部１０ｆ５、終了条件判定部１０ｆ６及び終了時処理部１０ｆ７を有する。
【００４６】
データ管理部１０ｆ１は、記憶部１０ｅに記憶したプリペイド価値データ１０ｅ２及び持玉数データ１０ｅ３を管理する管理部である。データ管理部１０ｆ１は、遊技客により玉貸し操作が行われると、カード管理装置４０が管理するプリペイド価値を所定値（例えば１００円＝１度数であれば１０度数）減算して更新させ、減算したプリペイド価値に対応する数（例えば「２５０」）のパチンコ玉を貸し出す。この結果、台間カード処理機１０が管理するプリペイド価値データ１０ｅ２についても、減算した値で更新される。
【００４７】
また、データ管理部１０ｆ１は、紙幣挿入口１２ａに紙幣が挿入されると、入金額をカード管理装置４０に通知し、入金額に相当するプリペイド価値を加算させる。この結果、プリペイド価値データ１０ｅ２の値も入金額相当を加算して更新することとなる。また、データ管理部１０ｆ１は、カード挿入口１１ａにカードが挿入された場合に、このカードに対応付けられたプリペイド価値をカード管理装置４０から取得し、取得した値に基づいてプリペイド価値データ１０ｅ２を更新する。
【００４８】
また、データ管理部１０ｆ１は、計数ユニット１７がパチンコ玉を計数した場合には、計数した玉数を持玉数データ１０ｅ３に加算する。また、データ管理部１０ｆ１は、持玉再プレイ操作を受け付けたならば、持玉数データ１０ｅ３を所定数（例えば２５玉）単位で減算して、減算した玉数を遊技機から払い出す。持玉再プレイ操作を受け付けた際に、持玉数データ１０ｅ３が所定数未満である場合には、該玉数をノズルユニット１６より払い出して、持玉数データ１０ｅ３を０とする。
【００４９】
紙幣処理部１０ｆ２は、紙幣挿入口１２ａから受け付けた紙幣を搬送制御しつつ該紙幣の金種識別及び真偽識別を行った後に、該紙幣を図示しない紙幣収納部に収納する処理部である。
【００５０】
カード処理部１０ｆ３は、図示しないカード挿入口１１ａからカードを受け付けたならば、カードリーダライタ１１によりカードＩＤを読み取らせ、カードＩＤ１０ｅ１として記憶部１０ｅに記憶させる。また、かざし部１５により非接触式ＩＣカードもしくは携帯会員として登録された携帯電話からカードＩＤを読み取らせ、カードＩＤ１０ｅ１として記憶部１０ｅに記憶させる。
【００５１】
また、カード処理部１０ｆ３は、カードＩＤ１０ｅ１をカード管理装置４０に送信して、該カードＩＤに関連付けられた各レートの持玉口座の情報及びプリペイド価値の情報をカード管理装置４０から受け取る。また、カード処理部１０ｆ３は、カードＩＤ１０ｅ１を会員管理装置５０に送信して、該カードＩＤに関連付けられた各レートの貯玉口座の情報を会員管理装置５０から受け取る。
【００５２】
また、カード処理部１０ｆ３は、カード返却操作を受け付けたならば、持玉数データ１０ｅ３と、カードＩＤ１０ｅ１とをカード管理装置４０に送信してカードデータを更新させる。その後、プリペイド価値データ１０ｅ２及び持玉数データ１０ｅ３を零にクリアし、カード挿入口１１ａからカードを返却する。
【００５３】
開始条件判定部１０ｆ４は、０円レートの遊技が開始されていない状態において、後述するあらかじめ定めた０円レートの遊技の開始の複数の条件の成立／非成立を判定する。０円レートの遊技開始の条件が成立した場合には、開始時処理部１０ｆ５の処理を実施する。
【００５４】
開始時処理部１０ｆ５は、０円レートの遊技開始条件が成立した時に、０円遊技の開始時の処理を実施する。０円レートの遊技開始の条件は複数設定可能であり、成立した条件にごとに０円遊技開始時の処理を行うことも可能である。本実施例では図５で示す開始条件１〜３が成立した場合には、貸出可否情報１０ｅ５に「遊技媒体の供給を許可するモード」を示す値を設定するとともに開始・終了条件情報１０ｅ６に０円レート遊技の開始時刻を保存する。また図５で示す開始条件４が成立した場合には、開始・終了条件情報１０ｅ６に０円レート遊技の開始時刻の保存のみを実施する。
【００５５】
終了条件判定部１０ｆ６は、０円レートの遊技が開始されている状態において、後述するあらかじめ定めた０円レートの遊技の終了の複数の条件の成立／非成立を判定する。０円レートの遊技終了の条件が成立した場合には、終了時処理部１０ｆ７の処理を実施する。
【００５６】
終了時処理部１０ｆ７は、０円レートの遊技終了条件が成立した時に、０円遊技の終了時の処理を実施する。０円レートの遊技開始の条件は複数設定可能であり、０円遊技開始のきっかけとなった条件にごとに０円遊技終了時の処理を行うことも可能である。本実施例では図５で示す開始条件１〜３によって０円遊技開始した場合には、貸出可否情報１０ｅ５に「遊技媒体の供給を許可しないモード」を示す値を設定するとともに持玉数データ１０ｅ３をゼロクリアする。また図５で示す開始条件によって０円遊技開始した場合には、持玉数データ１０ｅ３をゼロクリアの処理のみを実施する。
【００５７】
次に図４で示した開始条件判定部１０ｆ４と終了条件判定部１０ｆ６で使用する判定条件について説明する。図５は本実施例における０円レートでの遊技の開始の条件と終了の条件である。複数の条件の組み合わせを１つの０円レート遊技の開始条件とすることが可能で、複数の０円レート遊技の開始条件を設定することができる。本実施例では４つの０円レート遊技の開始条件と、それぞれの０円レート遊技の開始条件の成立によって開始された０円レート遊技の終了条件を設定している。
【００５８】
図５のケース１は、従業員の従業員操作端末３０により、台間カード処理機へのリモコンによる開始操作を０円レート遊技の開始条件とし、０円遊技開始からの一定時間の経過を終了条件とする。ケース２は従業員による上位サーバ（カード管理装置もしくは会員管理装置）の操作による台間カード処理機１０への０円レート遊技開始指示を通信部１８を経由して受信することを０円レート遊技の開始条件とし、０円遊技開始からの一定時間の経過を終了条件とする。ケース３は遊技客によるかざし部１５への携帯タッチ、カードリーダライタ１１での会員カードのリード、若しくは入金を０円レート遊技の開始条件とし、０円遊技開始からの一定時間の経過を終了条件とする。ケース４は０円レート用の専用カードを台間カード処理機１０のかざし部１５で読み込ませることを０円レート遊技の開始条件とし、０円遊技開始からの一定時間の経過または０円レート用の専用カードによる利用可能な持玉数が０になることを終了条件とする。
【００５９】
次に図２で示したカード管理装置４０の内部構成について説明する。図６は、図２に示したカード管理装置４０の内部構成を示すブロック図である。同図に示すように、カード管理装置４０は、表示部４１及び入力部４２と接続される。表示部４１は、液晶パネルやディスプレイ装置等であり、入力部４２は、キーボードやマウス等である。
【００６０】
また、カード管理装置４０は、通信部４３と、記憶部４４と、制御部４５とを有する。通信部４３は、通信回線９０を介して台間カード処理機１０とデータ通信するためのインタフェース部である。
【００６１】
記憶部４４は、ハードディスク装置や不揮発性メモリ等の記憶デバイスであり、カードデータ４４ａを記憶する。カードデータ４４ａは、カードＩＤにプリペイド価値と、レート毎の持玉数とを対応づけたデータである。
【００６２】
制御部４５は、カード管理装置４０を全体制御する制御部であり、カードデータ更新部４５ａ、カードデータ通知部４５ｂ及び０円レート遊技開始指示部４５ｃを有する。実際には、これらの機能部に対応するプログラムを図示しないＲＯＭや不揮発性メモリに記憶しておき、これらのプログラムをＣＰＵ（Central Processing Unit）にロードして実行することにより、カードデータ更新部４５ａ、カードデータ通知部４５ｂ及び０円レート遊技開始指示部４５ｃに対応するプロセスを実行させることになる。
【００６３】
カードデータ更新部４５ａは、カードデータ４４ａに対するデータの登録、更新及び削除を行う処理部である。カードデータ更新部４５ａは、台間カード処理機１０ａからカードＩＤ及び持玉数を受信したならば、受信したカードＩＤに対応付けられた４円パチンコの持玉口座の玉数を受信した持玉数に置き換える。
【００６４】
また、カードデータ更新部４５ａは、台間カード処理機１０ｂからカードＩＤ及び持玉数を受信したならば、受信したカードＩＤに対応付けられた１円パチンコの持玉口座の玉数を受信した持玉数に置き換える。
【００６５】
また、カードデータ更新部４５ａは、台間カード処理機１０ｃからカードＩＤ及び持玉数を受信したならば、受信したカードＩＤに対応付けられた０円パチンコの持玉口座の玉数を受信した持玉数に置き換える。
【００６６】
カードデータ通知部４５ｂは、カードデータ４４ａを通知する処理部である。カードデータ通知部４５ｂは、台間カード処理機１０ａからカードＩＤを受信したならば、該カードＩＤに対応付けられたプリペイド価値並びに４円レートの持玉口座の残高を台間カード処理機１０ａに通知する。
【００６７】
また、カードデータ通知部４５ｂは、台間カード処理機１０ｂからカードＩＤを受信したならば、該カードＩＤに対応付けられたプリペイド価値並びに１円レートの持玉口座の残高を台間カード処理機１０ｂに通知する。
【００６８】
また、カードデータ通知部４５ｂは、台間カード処理機１０ｃからカードＩＤを受信したならば、該カードＩＤに対応付けられたプリペイド価値並びに０円レートの持玉口座の残高を台間カード処理機１０ｃに通知する。
【００６９】
０円レート遊技開始指示部４５ｃは、指定の台間カード処理機に０円レート遊技の開始指示を通知する処理部である。０円レート遊技開始指示部４５ｃは、表示部４１と入力部４２を使用して０円レートでの遊技を開始する遊技機２０を指定し、その遊技機２０とペアになっている台間カード処理機１０に、通信部４３及び通信回線９０を使用して、０円レート遊技の開始指示を通知する。
【００７０】
図７は、図６に示したカードデータ４５ａについて説明するための説明図である。図６に示したカードデータ４４ａは、カードＩＤにプリペイド価値の残高、４円パチンコの持玉口座の残高、１円パチンコの持玉口座の残高、１円パチンコの持玉口座の残高及び最後に０円パチンコを実施した日付である０円パチンコ利用履歴を対応付けている。
【００７１】
図７では、カードＩＤ「０００１」に対してプリペイド価値の残高「２０００」と、４円パチンコの持玉口座の残高「４０００」と、１円パチンコの持玉口座の残高「０」と、０円パチンコの持玉口座の残高「０」と、０円パチンコ利用履歴「なし」を対応付け、カードＩＤ「０００２」に対してプリペイド価値の残高「１０００」と、４円パチンコの持玉口座の残高「０」と、１円パチンコの持玉口座の残高「１０００」と、０円パチンコの持玉口座の残高「５００」と、０円パチンコ利用履歴「２０１２／４／１」を対応付けている。
【００７２】
次に、台間カード処理機１０による０円レート遊技の開始及び終了の処理手順について説明する。図８及び図９は、台間カード処理機による０円レート遊技の開始及び終了の処理手順を示すフローチャートである。
【００７３】
開始条件判定部１０ｆ４は、レート情報１０ｅ４を参照して「０円パチンコ区画」であるのかを判定する（ステップＳ１０１）。レート情報１０ｅ４に「０円パチンコ区画」を示す情報が設定されている場合は（ステップＳ１０１；Ｙｅｓ）、ステップＳ１０２に移行する。レート情報１０ｅ４に「０円パチンコ区画」を示す情報が設定されていない場合は（ステップＳ１０１；Ｎｏ）、処理を終了する。
【００７４】
また開始条件判定部１０ｆ４は、従業員操作端末３０による「０円レート遊技開始」を指示するリモコン開始操作の有無を判定し（ステップＳ１０２）、リモコン開始操作が実施されていれば（ステップＳ１０２；Ｙｅｓ）、開始・終了条件情報１０ｅ６に「リモコン開始操作有」を示すデータを記憶して（ステップＳ１０３）、ステップＳ１２０に移行する。リモコン開始操作が実施されていなければ（ステップＳ１０２；Ｎｏ）、ステップＳ１０４に移行する。
【００７５】
また、開始条件判定部１０ｆ４は、カード管理装置４０による上位サーバによる０円レート遊技開始の指示の有無を判定し（ステップＳ１０４）、上位サーバによる０円レート遊技開始の指示通知を受信している場合には（ステップＳ１０４；Ｙｅｓ）、開始・終了条件情報１０ｅ６に「上位サーバによる０円レート遊技開始の指示有」を示すデータを記憶して（ステップＳ１０５）、ステップＳ１２０に移行する。上位サーバによる０円レート遊技開始の指示通知を受信していない場合には（ステップＳ１０４；Ｎｏ）、ステップＳ１０６に移行する。
【００７６】
また、開始条件判定部１０ｆ４は、表示操作部１３のＬＣＤタッチによる０円レート遊技開始操作の有無を判定し（ステップＳ１０６）、ＬＣＤタッチによる０円レート遊技開始操作がされた場合には（ステップＳ１０６；Ｙｅｓ）、開始・終了条件情報１０ｅ６に「ＬＣＤタッチによる０円レート遊技開始操作有」を示すデータを記憶して（ステップＳ１０７）、ステップＳ１２０に移行する。ＬＣＤタッチによる０円レート遊技開始操作がされていない場合には（ステップＳ１０６；Ｎｏ）、ステップＳ１０８に移行する。
【００７７】
また、開始条件判定部１０ｆ４は、携帯会員として登録された携帯電話による、かざし部１５に対する携帯タッチ操作の有無を判定する（ステップＳ１０８）、携帯会員として登録された携帯電話によるかざし部１５に対する携帯タッチ操作が実施されていない場合には（ステップＳ１０８；Ｎｏ）、ステップＳ１１２に移行する。
【００７８】
一方、携帯会員として登録された携帯電話による、かざし部１５に対する携帯タッチ操作が実施された場合には（ステップＳ１０８；Ｙｅｓ）、カード処理部１０ｆ３は、携帯に登録されたカードＩＤに関連付けられた情報をカード管理装置４０及び会員管理装置５０から入手する（ステップＳ１０９）。その後、開始条件判定部１０ｆ４は、カード管理装置から入手した０円パチンコ利用履歴の日付と本日日付とを比較し（ステップＳ１１０）する。該比較の結果、０円パチンコ利用履歴の日付と本日日付が等しい場合（ステップＳ１１０；Ｙｅｓ）には、本日既に１度０円レート遊技を実施済みと判断して、ステップＳ１１２に移行する。０円パチンコ利用履歴がない場合や本日日付に一致しない場合（ステップＳ１１０；Ｎｏ）には、カードＩＤ１０ｅ１に会員ＩＤを記憶するとともに、開始・終了条件情報１０ｅ６に「携帯タッチ操作有」を示すデータを記憶して、カード管理装置の０円パチンコ利用履歴に本日日付を設定し（ステップＳ１１１）、ステップＳ１２０に移行する。
【００７９】
また、開始条件判定部１０ｆ４は、カードリーダライタ１１による会員カードのリード操作の有無を判定し（ステップＳ１１２）、会員カードのリード操作が実施されていない場合には（ステップＳ１１２；Ｎｏ）、ステップＳ１１６に移行する。会員カードのリード操作が実施された場合には（ステップＳ１１２；Ｙｅｓ）、カード処理部１０ｆ３は、会員カードのカードＩＤに関連付けられた情報をカード管理装置４０及び会員管理装置５０から入手する（ステップＳ１１３）。その後、開始条件判定部１０ｆ４は、カード管理装置から入手した０円パチンコ利用履歴の日付と本日日付とを比較する（ステップＳ１１４）。該比較の結果、０円パチンコ利用履歴の日付と本日日付が等しい場合（ステップＳ１１４；Ｙｅｓ）には、本日既に１度０円レート遊技を実施済みと判断して、ステップＳ１１６に移行する。０円パチンコ利用履歴がない場合や本日日付に一致しない場合（ステップＳ１１４；Ｎｏ）には、カードＩＤ１０ｅ１に会員ＩＤを記憶するとともに、開始・終了条件情報１０ｅ６に「会員カードリード操作有」を示すデータを記憶して、カード管理装置の０円パチンコ利用履歴に本日日付を設定し（ステップＳ１１５）、ステップＳ１２０に移行する。
【００８０】
また、開始条件判定部１０ｆ４は、入金操作の有無を判定し（ステップＳ１１６）、紙幣処理部１０ｆ２による紙幣の入金操作がされた場合には（ステップＳ１１６；Ｙｅｓ）、プリペイド価値データ１０ｅ２に入金された金額を加算して記憶するとともに、開始・終了条件情報１０ｅ６に「入金操作有」を示すデータを記憶して（ステップＳ１１７）、ステップＳ１２０に移行する。紙幣の入金操作がされていない場合には（ステップＳ１１６；Ｎｏ）、ステップＳ１１８に移行する。
【００８１】
また、開始条件判定部１０ｆ４は、０円レート遊技専用カードの読み取りの有無を判定し（ステップＳ１１８）、カードリーダライタ１１により０円レート遊技専用カードの読み取りがされた場合には（ステップＳ１１８；Ｙｅｓ）、カード処理部１０ｆ３は読み取ったカードＩＤ関連付けられた情報をカード管理装置４０より入手してカードＩＤ１０ｅ１、持玉数データ１０ｅ３に記憶するとともに、開始・終了条件情報１０ｅ６に「専用カードリード操作有」を示すデータを記憶して（ステップＳ１１９）、ステップＳ１２０に移行する。紙幣の入金操作がされていない場合には（ステップＳ１１８；Ｎｏ）、ステップＳ１０２に移行する。
【００８２】
次に、開始条件判定部１０ｆ４は開始・終了条件情報１０ｅ６を参照して、図５に示すケース１〜ケース４のいずれかの開始条件が成立しているか否かを判定する（ステップＳ１２０）。図５に示すいずれの０円レート遊技開始条件も成立していない場合には（ステップＳ１２０；Ｎｏ）、ステップＳ１０２に移行する。図５に示すいずれかの０円レート遊技開始条件が成立している場合には（ステップＳ１２０；Ｙｅｓ）、開始時処理部１０ｆ５は０円レートの遊技開始処理（ステップＳ１２１）として、開始・終了条件情報１０ｅ６に０円レートの遊技の開始時刻を記憶するとともに、成立した条件がケース１〜ケース３の場合には、貸出可否情報１０ｅ５を「貸出可」に変更することにより、玉貸しの操作が可能となる。本実施例では図５に示すいずれかの０円レート遊技開始条件が成立している場合（ステップＳ１２０；Ｙｅｓ）には遊技開始処理（ステップＳ１２１）を実施するとしたが、図５に示すケース１〜ケース４の０円レート遊技開始条件について、店舗ごとに許可する０円レート遊技開始条件を開始・終了条件情報１０ｅ６に保有させ、店舗ごとに設定を可能として、０円レート遊技開始条件の判定処理（ステップＳ１２０）において、この情報を含めて判定させるというプロセスを含めることも可能である。
【００８３】
終了条件判定部１０ｆ６は、０円レート遊技の開始以降は開始・終了条件情報１０ｅ６に記憶されている０円レートの遊技の開始時刻から所定の時間が経過したかどうかを判定する（ステップＳ１２２）。０円レートの遊技の開始時刻から所定の時間がまだ経過していない場合には（ステップＳ１２２；Ｎｏ）、ステップＳ１２２に移行する。０円レートの遊技の開始時刻から所定の時間が経過している場合には（ステップＳ１２２；Ｙｅｓ）、終了時処理部１０ｆ７は貸出可否情報１０ｅ５に「貸出不可」を設定し（ステップＳ１２３）、従業員操作端末に０円レート遊技の制限時間超過通知を行い（ステップＳ１２４）、通知を受けた従業員による従業員操作端末からのリモコン操作により、持玉数データ１０ｅ３をゼロクリアする（ステップＳ１２５）。
【００８４】
また、終了時処理部１０ｆ７はプリペイド価値データ１０ｅ２を参照して、入金操作によってプリペイド価値データ１０ｅ２が０円ではない場合（ステップＳ１２６；Ｙｅｓ）で、会員カードを読ませたり携帯タッチ操作をしていない場合には（ステップＳ１２７；Ｎｏ）、精算用のカードを排出する。入金操作がない場合（ステップＳ１２６；Ｎｏ）や、入金操作があった場合でも会員カードを読ませたり携帯タッチ操作をしている場合（ステップＳ１２７；Ｙｅｓ）には、カードの排出処理（ステップＳ１２８）は実施せず処理を終了する。
【００８５】
上述してきたように、本実施例では、０円レートでの遊技について、遊技時間や利用可能な玉数を制限することにより、遊技店の利益を損なうことなく０円レート遊技を導入することを可能とする。
【００８６】
なお、本実施例では、０円レートの遊技の開始条件、終了条件を図５で規定しているが、本発明はこれに限定されるものではなく、図５の条件だけに限定するものではない。また会員カード及び０円レート専用カードはカードリーダライタ１１でリードさせる磁気カードもしくは接触式ＩＣカードとして説明してきたが、本発明はこれに限定されるものではなく、非接触式ＩＣカードであってもよい。
【００８７】
また本実施例では、パチンコ玉を用いる遊技の管理を例に説明を行なったが、本発明ではこれに限定されるものではなく、スロットメダルを用いる遊技の管理にも適用することができる。これによりスロットの遊技においても、０円レートでの遊技を遊技店の利益を損なうことなく、運用することが可能となる。
【００８８】
また本実施例では０円レートでの遊技終了時には、持玉をクリアすることとしたが、会員になってもらうことを促進するために、会員の場合には残った持玉を貯玉とすることを可能として、その貯玉に数に応じた何らかの特典を設定することも可能である。
【００８９】
また、本実施例では、０円レートを特殊レートとして運用する場合を例に説明を行なったが、本発明の適用は０円レートに限定されるものではなく、任意に指定した遊技種について遊技の制限と管理を行なう場合に適用可能である。
【００９０】
また、本実施例で図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。例えば、本実施例に示したカード管理装置４０が有する機能と、会員管理装置５０が有する機能とを有する一体型の管理装置を設けてもよい。
【００９１】
また、開始条件と終了条件についても適宜変形して設定することができる。例えば、終了条件として、開始条件と同じく「係員操作」や「上位の管理装置からの指示」を用いても良い。また、アウトパルス等を確認して、一定時間アウトパルス信号を受信しなければ、遊技なしと判定して終了するようにしてもよい。また、遊技終了と判定した場合に自動で持玉をゼロにクリアしてもよい。
【産業上の利用可能性】
【００９２】
以上のように、本発明に係る台間装置、遊技システム及び遊技管理方法は、特殊レートの遊技を遊技店の利益を損なうことなく運用することに適している。
【符号の説明】
【００９３】
１０、１０ａ、１０ｂ、１０ｃ  台間カード処理機
１０ｆ、４５  制御部
１０ｆ１  データ管理部
１０ｆ２  紙幣処理部
１０ｆ３  カード処理部
１０ｆ４  開始条件判定部
１０ｆ５  開始時処理部
１０ｆ６  終了条件判定部
１０ｆ７  終了時処理部
１０ｅ、４４  記憶部
１０ｅ１  カードＩＤ
１０ｅ２  プリペイド価値データ
１０ｅ３  持玉数データ
１０ｅ４  レート情報
１０ｅ５  貸出可否情報
１０ｅ６  開始・終了条件情報
１１  カードリーダライタ
１１ａ  カード挿入口
１２  紙幣搬送部
１２ａ  紙幣挿入口
１３  表示操作部
１４  リモコン操作受信部
１５  かざし部
１６  ノズルユニット
１７  計数ユニット
１８  通信部
１９  状態表示部
２０  遊技機
２０ａ、２０ｂ、２０ｃ  パチンコ遊技機
３０  従業員操作端末
４０  カード管理装置
４１  表示部
４２  入力部
４３  通信部
４４ａ  カードデータ
４５ａ  カードデータ更新部
４５ｂ  カードデータ通知部
４５ｃ  ０円レート遊技開始指示部
５０  会員管理装置
９０  通信回線
【図１】
2014000277.tif 000003
【図２】
2014000277.tif 000004
【図３】
2014000277.tif 000005
【図４】
2014000277.tif 000006
【図５】
2014000277.tif 000007
【図６】
2014000277.tif 000008
【図７】
2014000277.tif 000009
【図８】
2014000277.tif 000010
【図９】
2014000277.tif 000011